【手続補正書】
【提出日】平成18年11月9日(2006.11.9)
【手続補正１】
【補正対象書類名】特許請求の範囲
【補正対象項目名】全文
【補正方法】変更
【補正の内容】
【特許請求の範囲】
【請求項１】
受信した利得制御電圧に応答してデシベル利得制御にリニアを供給するための無線周波数(ＲＦ）ドライバ増幅器システムであって、前記ＲＦドライバ増幅器システムは、バイポーラ接合トランジスタおよび整合回路を含むドライバ増幅器回路を有するＲＦドライバ増幅器システムにおいて、
入力電圧を受信し、受信した入力電圧に基づいて制御された電流を供給するリニアトランスコンダクタと、
絶対温度に従って、前記リニアトランスコンダクタからの電流を変化させるための温度補償回路と、
前記温度補償回路からの温度に従って変化される電流を受信し、それに応答して指数関数電流を供給する指数関数電流コントローラと、
前記指数関数電流コントローラから指数関数電流を受信し、前記ドライバ増幅回路内の少なくとも１つのインダクタによりインダクティブデジェネレーションを補償する前記ドライバ増幅回路に制御電流を供給するインダクティブデジェネレーション補償器とを備え、
制御電流は、前記インダクティブデジェネレーション補償器から前記ドライバ増幅回路および前記バイポーラ接合トランジスタおよび整合回路を通り、前記ドライバ増幅回路からの利得は、前記入力電圧に対してデシベルでリニアに変化する、システム。
【請求項２】
前記リニアトランスコンダクタは前記入力電圧を差動電流に変換する、請求項１のシステム。
【請求項３】
前記温度補償回路は、絶対温度に従って前記差動電流を変化させることにより温度効果に対して前記差動電流を補償する、請求項２のシステム。
【請求項４】
前記指数関数電流コントローラは、前記差動電流を前記指数関数電流に変換するバイポーラ差動対を備えた、請求項３のシステム。
【請求項５】
前記指数関数電流コントローラおよび前記インダクティブデジェネレーション補償器は、高コレクタ電流に対してリニア性能からの逸脱を訂正する、請求項１記載のシステム。
【請求項６】
前記インダクティブデジェネレーション補償器は、トランスリニア回路を使用する、請求項１のシステム。
【請求項７】
前記温度補償回路は、バイポーラ接合トランジスタ回路を用いてＰＴＡＴ補償を供給する、請求項１のシステム。
【請求項８】
前記インダクティブデジェネレーション補償器は、バイポーラ接合トランジスタ回路を備えたトランスリニア回路を使用する、請求項７のシステム。
【請求項９】
受信した電圧に基づいて、デシベル利得制御にリニアを供給するための装置において、
前記受信した電圧を電流に変換する電圧−電流変換器と、
温度変化に対して前記電流を温度補償された電流に補償する温度補償回路と、
および前記温度補償された電流を受信し、インダクティブデジェネレーション効果を除去し、デシベル利得制御にリニアを供給するために使用される基準電流を供給する指数電流制御およびインダクティブデジェネレーション補償回路と、
を備えた装置。
【請求項１０】
前記電圧−電流変換器は、受信した電圧を差動電流に変換する、請求項９の装置。
【請求項１１】
前記温度補償回路は、絶対温度に従って前記差動電流を変化させることにより、温度効果に対して前記差動電流を補償する、請求項１０の装置。
【請求項１２】
前記指数関数電流制御およびインダクティブデジェネレーション補償回路は、前記差動電流を前記基準電流に変換するバイポーラ差動対を備えた、請求項１１の装置。
【請求項１３】
前記指数電流制御およびインダクティブデジェネレーション補償回路は、高コレクタ電流に対してリニア性能からの逸脱を訂正する、請求項９の装置。
【請求項１４】
前記指数関数電流制御およびインダクティブデジェネレーション補償回路はトランスリニア回路を使用する、請求項９の装置。
【請求項１５】
前記温度補償回路は、バイポーラ接合トランジスタ回路を用いてＰＴＡＴ補償を供給する、請求項９の装置。
【請求項１６】
前記指数電流制御およびインダクティブデジェネレーション補償回路は、バイポーラ接合トランジスタ回路を備えたトランスリニア回路を使用する、請求項１５の装置。
【請求項１７】
ＲＦドライバ増幅器のためのデシベル利得制御にリニアを供給するためのシステムにおいて、
電流を供給する手段と、
前記電流を温度補償された電流に温度補償する手段と、
前記温度補償された電流を指数関数的に制御された電流に指数関数的に制御する手段と、
前記指数関数的に制御された電流のインダクティブデジェネレーションを補償し、それにより、デシベル利得制御にリニアを供給するために使用される基準電流を生成する手段と、
を備えたシステム。
【請求項１８】
前記電流供給手段は、差動電流を供給する、請求項１７のシステム。
【請求項１９】
前記温度補償手段は、絶対温度に従って、前記差動電流を変化させることにより温度効果に対して前記差動電流を補償する、請求項１８のシステム。
【請求項２０】
前記指数関数的に制御する手段は、前記差動電流を前記指数関数的に制御された電流に変換するバイポーラ差動対を備えた、請求項１９のシステム。
【請求項２１】
前記指数関数的に制御する手段および前記インダクティブデジェネレーション手段は、高コレクタ電流に対してリニア性能からの逸脱を訂正する、請求項１７のシステム。
【請求項２２】
前記インダクティブデジェネレーション補償手段は、トランスリニア回路を備えた、請求項１７のシステム。
【請求項２３】
前記温度補償手段は、バイポーラ接合トランジスタ回路を用いてＰＴＡＴ補償を供給する、請求項１７のシステム。
【請求項２４】
前記インダクティブデジェネレーション補償手段は、バイポーラ接合トランジスタ回路を具備するトランスリニア回路を使用する、請求項２３のシステム。
【請求項２５】
ＲＦドライバ増幅器において、デシベル利得制御にリニアを供給するための方法において、
電流を生成することと、
前記電流を温度補償された電流に温度補償することと、
前記温度補償された回路を指数関数的に制御された電流に指数関数的に制御することと、
前記指数関数的に制御された電流のインダクティブデジェネレーションを補償し、それによりデシベル利得制御にリニアを供給するために使用される基準電流を生成することと、
を備えた方法。
【請求項２６】
前記基準電流をＲＦドライバ増幅回路に印加することをさらに備えた、請求項２５の方法。
【請求項２７】
前記電流生成は、差動電流を生成することを備えた、請求項２６の方法。
【請求項２８】
前記温度補償は、絶対温度に従って前記差動電流を変化させることにより、温度効果に対して前記差動電流を補償する、請求項２７の方法。
【請求項２９】
前記指数関数的に制御することは、前記差動電流を前記指数関数的に制御された電流に変換するバイポーラ差動対を使用することを備えた、請求項２８の方法。
【請求項３０】
前記指数関数的に制御することおよび前記インダクティブデジェネレーション補償することは、高コレクタ電流に対してリニア性能からの逸脱を訂正する、請求項２６の方法。
【請求項３１】
前記インダクティブデジェネレーション補償することは、トランジスタ回路を使用する、請求項２６の方法。
【請求項３２】
前記温度補償することは、バイポーラ接合トランジスタ回路を用いてＰＴＡＴ補償を供給する、請求項２６の方法。
【請求項３３】
前記インダクティブデジェネレーション補償することは、バイポーラ接合トランジスタ回路を具備するトランスリニア回路を使用する、請求項３２の方法。
【請求項３４】
少なくとも１つのインダクタを具備するドライバ増幅器回路に可変利得ＲＦドライブ増幅を供給する方法であって、前記可変利得は受信した入力電圧に対してデシベル利得制御において実質的にリニアである方法において、
下記を具備する、電流制御信号を発生することと、
前記入力電圧を受信し、前記入力電圧を電流に変換することと、
絶対温度に従って前記電流を変化させることにより温度効果に対して前記電流を補償し、温度補償された電流を生成することと、
前記温度補償された電流に基づいて制御された指数関数電流を供給することと、
前記制御された指数関数電流においてインダクティブデジェネレーションを補償する、前記補償することは前記ドライバ増幅回路内の少なくとも１つのインダクタに対する高電流効果に対処するために前記電流を変更することとを備え、前記補償することの結果は、前記ドライバ増幅器回路にわたされる制御電流の作成である、方法。
【請求項３５】
前記受信することは、前記入力電圧を差動電流に変換することを備え、前記補償することは、絶対温度に従って前記差動電流を変化させることにより温度効果に対して前記差動電流を補償し、前記温度補償された電流を生成することを備えた、請求項３４の方法。
【請求項３６】
前記制御された指数関数電流を供給することは、前記差動電流をバイポーラ差動対を用いて前記温度補償された電流に変換することを備えた、請求項３５の方法。
【請求項３７】
前記制御された指数関数電流を供給することおよびインダクティブデジェネレーションを補償することは、高コレクタ電流に対してリニア性能からの逸脱を訂正する請求項３４の方法。
【請求項３８】
前記制御された指数関数電流を供給することおよびインダクティブデジェネレーションを補償することはトランジスタ回路を使用する、請求項３４の方法。
【請求項３９】
温度効果に対して前記電流を補償することは、バイポーラ接合トランジスタ回路を用いてＰＴＡＴ補償を供給することを備えた、請求項３４の方法。
【請求項４０】
前記制御された指数関数電流内のインダクティブデジェネレーションを補償することは、バイポーラ接合トランジスタ回路を有するトランスリニア回路を使用することを備えた、請求項３９の方法。
【請求項４１】
集積回路（ＩＣ）において、
入力電圧を受信し、受信した入力電圧に基づいて制御された電流を供給するリニアトランスコンダクタと、
絶対温度に従って、前記リニアトランスコンダクタからの電流を変化させるための温度補償回路と、
温度補償回路からの温度に従って変化された電流を受信し、それに応答して、指数関数電流を供給する指数関数電流コントローラと、
前記指数関数電流コントローラから指数関数電流を受信し、制御電流を生成してインダクティブデジェネレーションを補償するインダクティブでジェネレーション補償器と、
を備えた集積回路。
【請求項４２】
前記リニアトランスコンダクタは、前記入力電圧を差動電流に変換する、請求項４１の集積回路。
【請求項４３】
前記温度補償回路は、絶対温度に従って前記差動電流を変化させることにより温度効果に対して前記差動電流を補償する、請求項４２の集積回路。
【請求項４４】
前記指数関数電流コントローラは、前記差動電流を前記指数電流に変換するバイポーラ差動対を備えた、請求項４３の集積回路。
【請求項４５】
前記指数関数電流コントローラおよび前記インダクティブデジェネレーション補償器は、高コレクタ電流に対してリニア性能からの逸脱を訂正する、請求項４１の集積回路。
【請求項４６】
前記インダクティブデジェネレーション補償器は、トランスリニア回路を使用する、請求項４１の集積回路。
【請求項４７】
前記温度補償回路は、バイポーラ接合トランジスタ回路を用いてＰＴＡＴ補償を供給する、請求項４１の集積回路。
【請求項４８】
前記集積回路はＲＦチップである、請求項４１の集積回路。
【請求項４９】
利得制御電圧に応答してデシベル利得制御にリニアを供給する回路であって、前記回路は、バイポーラジャンクショントランジスタおよびマッチング回路を含むドライバ増幅回路に接続するように適合した回路において、
入力電圧を受信し、受信した入力電圧に基づいて制御された電流を供給するリニアトランスコンダクタと、
絶対温度に従って、前記リニアトランスコンダクタからの電流を変化させるための温度補償回路と、
前記温度補償回路からの温度に従って変化される電流を受信し、それに応答して指数関数電流を供給する指数関数電流コントローラと、
前記指数関数電流コントローラから指数関数電流を受信し、前記ドライバ増幅回路内の少なくとも１つのインダクタによりインダクティブデジェネレーションを補償する前記ドライバ増幅回路に制御電流を供給するインダクティブデジェネレーション補償器であって、前記制御電流は、インダクティブデジェネレーション補償器から前記ドライバ増幅回路のバイポーラジャンクショントランジスタおよびマッチング回路を通り、前記入力電圧に対してデシベルでリニアに変化する出力利得を発生するインダクティブデジェネレーション補償器と、
を備えた回路。
【請求項５０】
前記リニアトランスコンダクタは前記入力電圧を差動電流に変換する、請求項４９の回路。
【請求項５１】
前記温度補償回路は、絶対温度に従って前記差動電流を変化させることにより温度効果に対して前記差動電流を補償する、請求項５０の回路。
【請求項５２】
前記指数関数電流コントローラは、前記差動電流を前記指数関数電流に変換するバイポーラ差動対を備えた、請求項５１の回路。
【請求項５３】
前記指数関数電流コントローラおよび前記インダクティブデジェネレーション補償器は、高コレクタ電流に対してリニア性能からの逸脱を訂正する、請求項４９記載の回路。
【請求項５４】
前記インダクティブデジェネレーション補償器は、トランスリニア回路を使用する、請求項４９の回路。
【請求項５５】
前記温度補償回路は、バイポーラ接合トランジスタ回路を用いてＰＴＡＴ補償を供給する、請求項４９のシステム。
【請求項５６】
前記インダクティブデジェネレーション補償器は、バイポーラ接合トランジスタ回路を備えたトランスリニア回路を使用する、請求項５５のシステム。
【請求項５７】
受信した電圧に基づいてデシベル利得制御にリニアを供給するための回路であって、前記回路は、受信した電圧を電流に変換する電圧電流変換器に接続するように適合された回路において、
温度変化に対して前記電流を温度補償された電流に補償する温度補償回路と、
および前記温度補償された電流を受信し、インダクティブデジェネレーション効果を除去し、デシベル利得制御にリニアを供給するために使用される基準電流を供給する指数電流制御およびインダクティブデジェネレーション補償回路と、
を備えた回路。
【請求項５８】
前記電圧−電流変換器は、受信した電圧を差動電流に変換するタイプの変換器である、請求項５７の回路。
【請求項５９】
前記温度補償回路は、絶対温度に従って前記差動電流を変化させることにより、温度効果に対して前記差動電流を補償する、請求項５８の回路。
【請求項６０】
前記指数関数電流制御およびインダクティブデジェネレーション補償回路は、前記差動電流を前記基準電流に変換するバイポーラ差動対を備えた、請求項５９の回路。
【請求項６１】
前記指数電流制御およびインダクティブデジェネレーション補償回路は、高コレクタ電流に対してリニア性能からの逸脱を訂正する、請求項５７の回路。
【請求項６２】
前記指数関数電流制御およびインダクティブデジェネレーション補償回路はトランスリニア回路を使用する、請求項５７の回路。
【請求項６３】
前記温度補償回路は、バイポーラ接合トランジスタ回路を用いてＰＴＡＴ補償を供給する、請求項５７の回路。
【請求項６４】
前記指数電流制御およびインダクティブデジェネレーション補償回路は、バイポーラ接合トランジスタ回路を具備するトランスリニア回路を使用する、請求項６３の回路。
【請求項６５】
ＲＦドライバ増幅器のためのデシベル利得制御にリニアを供給するための集積回路（ＩＣ）において、
電流を温度補償された電流に温度補償する手段と、
前記温度補償された電流を指数関数的に制御された電流に指数関数的に制御する手段と、
前記指数関数的に制御されたインダクティブデジェネレーションを補償し、基準電流を発生してデシベル利得制御にリニアを供給する手段と、
を備えた集積回路（ＩＣ）。
【請求項６６】
前記電流は差動電流である、請求項６５のＩＣ。
【請求項６７】
前記温度補償手段は、絶対温度に従って、前記差動電流を変化させることにより温度効果に対して前記差動電流を補償する、請求項６６のＩＣ。
【請求項６８】
前記指数関数的に制御する手段は、前記差動電流を前記指数関数的に制御された電流に変換するバイポーラ差動対を備えた、請求項６７のＩＣ。
【請求項６９】
前記指数関数的に制御する手段および前記インダクティブデジェネレーション手段は、高コレクタ電流に対してリニア性能からの逸脱を訂正する、請求項６５のＩＣ。
【請求項７０】
前記インダクティブデジェネレーション補償手段は、トランスリニア回路を備えた、請求項６５のＩＣ。
【請求項７１】
前記温度補償手段は、バイポーラ接合トランジスタ回路を用いてＰＴＡＴ補償を供給する、請求項６５のＩＣ。
【請求項７２】
前記インダクティブデジェネレーション補償手段は、バイポーラ接合トランジスタ回路を具備するトランスリニア回路を使用する、請求項７１のＩＣ。
【請求項７３】
ＲＦドライバ増幅器において、デシベル利得制御にリニアを供給する方法において、
電流を受信することと、
前記電流を温度補償された電流に温度補償することと、
前記温度補償された回路を指数関数的に制御された電流に指数関数的に制御することと、
指数関数的に制御されたインダクティブデジェネレーションを補償し、基準電流を発生し、デシベル利得制御にリニアを供給することと、
を備えた方法。
【請求項７４】
前記基準電流をＲＦドライバ増幅回路に印加することをさらに備えた、請求項７３の方法。
【請求項７５】
前記電流は差動電流である、請求項７４の方法。
【請求項７６】
前記温度補償は、絶対温度に従って前記差動電流を変化させることにより、温度効果に対して前記差動電流を補償する、請求項７５の方法。
【請求項７７】
前記指数関数的に制御することは、前記差動電流を前記指数関数的に制御された電流に変換するバイポーラ差動対を使用することを備えた、請求項７６の方法。
【請求項７８】
前記指数関数的に制御することおよび前記インダクティブデジェネレーション補償することは、高コレクタ電流に対してリニア性能からの逸脱を訂正する、請求項７４の方法。
【請求項７９】
前記インダクティブデジェネレーション補償することは、トランジスタ回路を使用する、請求項７４の方法。
【請求項８０】
前記温度補償することは、バイポーラ接合トランジスタ回路を用いてＰＴＡＴ補償を供給する、請求項７４の方法。
【請求項８１】
前記インダクティブデジェネレーション補償することは、バイポーラ接合トランジスタ回路を備えたトランスリニア回路を使用する、請求項８０の方法。
【請求項８２】
少なくとも１つのインダクタを含むドライバ増幅器回路に可変利得ＲＦドライブ増幅を供給する方法であって、前記可変利得は電流が発生される入力電圧に対してデシベル利得制御において実質的にリニアである方法において、
絶対温度に従って前記電流を変化させることにより温度効果に対して前記電流を補償し、温度補償された電流を生成することと、
前記温度補償された電流に基づいて制御された指数関数電流を供給することと、
前記制御された指数関数電流においてインダクティブデジェネレーションを補償することであって、前記補償することは、前記ドライバ増幅回路内の少なくとも１つのインダクタに対する高電流効果に対処するために前記電流を変更することと、前記ドライバ増幅回路を通過する制御電流を発生することとを備えることと、
を備えた方法。
【請求項８３】
前記電流は前記電圧から派生された差動電流であり、前記補償することは、絶対温度に従って前記差動電流を変化させることにより温度効果に対して前記差動電流を補償し、温度補償された電流を生成することを備えた、請求項８２の方法。
【請求項８４】
前記制御された指数関数電流を供給することは、前記差動電流をバイポーラ差動対を用いて前記温度補償された電流に変換することを備えた、請求項８３の方法。
【請求項８５】
前記制御された指数関数電流を供給することおよびインダクティブデジェネレーションを補償することは、高コレクタ電流に対してリニア性能からの逸脱を訂正する請求項８２の方法。
【請求項８６】
前記制御された指数関数電流を供給することおよびインダクティブデジェネレーションを補償することはトランジスタ回路を使用する請求項８２の方法。
【請求項８７】
温度効果に対して前記電流を補償することは、バイポーラ接合トランジスタ回路を用いてＰＴＡＴ補償を供給することを備えた、請求項８２の方法。
【請求項８８】
前記制御された指数関数電流内のインダクティブデジェネレーションを補償することは、バイポーラ接合トランジスタ回路を有するトランスリニア回路を使用することを備えた、請求項８７の方法。
【請求項８９】
受信した入力電圧に基づいて制御された電流が発生されるリニアトランスコンダクタに接続するように適合される回路において、
絶対温度に従って、前記リニアトランスコンダクタからの電流を変化させるための温度補償回路と、
温度補償回路からの温度に従って変化された電流を受信し、それに応答して、指数関数電流を供給する指数関数電流コントローラと、
前記指数関数電流コントローラから指数関数電流を受信し、制御電流を生成してインダクティブデジェネレーションを補償するインダクティブでジェネレーション補償器と、
を備えた回路。
【請求項９０】
前記制御された電流は差動電流である、請求項８９の回路。
【請求項９１】
前記温度補償回路は、絶対温度に従って前記差動電流を変化させることにより温度効果に対して前記差動電流を補償する、請求項９０の回路。
【請求項９２】
前記指数関数電流コントローラは、前記差動電流を前記指数電流に変換するバイポーラ差動対を具備する、請求項９１の回路。
【請求項９３】
前記指数関数電流コントローラおよび前記インダクティブデジェネレーション補償器は、高コレクタ電流に対してリニア性能からの逸脱を訂正する、請求項８９の回路。
【請求項９４】
前記インダクティブデジェネレーション補償器は、トランスリニア回路を使用する、請求項８９の回路。
【請求項９５】
前記温度補償回路は、バイポーラ接合トランジスタ回路を用いてＰＴＡＴ補償を供給する、請求項８９の回路。
【請求項９６】
前記集積回路はＲＦチップである、請求項８９の回路。